(57)【要約】【課題】携帯オーディオ装置に記憶されている携帯楽曲データ再生中に携帯オーディオ装置のバッテリの残量が少なくなっても、楽曲データの再生を継続することが可能な「車載用オーディオ装置及びその再生方法」を提供することである。【解決手段】制御部５は、携帯オーディオ装置Ｐ１に記憶された携帯楽曲データ再生中、携帯オーディオ装置Ｐ１からバッテリ残量データを所定時間間隔で受信し、バッテリ残量が所定値以下であるか判定する。バッテリ残量が所定値以下であると判定されれば、制御部５は携帯楽曲データから楽曲データ記憶部８に記憶されている車載楽曲データに切り替えて再生するよう制御する。【選択図】図１
2008117469.tif 000002
【特許請求の範囲】
【請求項１】
楽曲情報と該楽曲情報に対応付けされた携帯楽曲データとを記憶した携帯オーディオ装置が接続され、該携帯オーディオ装置から携帯楽曲データを取得して再生する車載用オーディオ装置において、
楽曲情報と該楽曲情報に対応付けされた車載楽曲データとを記憶する楽曲データ記憶部と、
前記携帯楽曲データ再生中に、前記携帯オーディオ装置からバッテリ残量データを受信するバッテリ残量受信部と、
前記バッテリ残量受信部により受信されたバッテリ残量データが所定値以下の時、前記携帯楽曲データから前記車載楽曲データに切り替えて再生するよう制御する制御部と、
前記制御部の指示に基づいて車載楽曲データを再生する楽曲データ再生部とを、
備えることを特徴とする車載用オーディオ装置。
【請求項２】
前記携帯オーディオ装置に記憶された楽曲情報および前記楽曲データ記憶部に記憶された楽曲情報を表示する表示部を備え、
前記制御部は、前記バッテリ残量データが所定値以下の時、前記携帯楽曲データから前記車載楽曲データへ切り替え再生することを選択させる画面を生成して前記表示部に表示し、前記切り替え再生が選択された場合、前記携帯楽曲データから前記車載楽曲データに切り替えて再生するよう制御する、
ことを特徴とする請求項１記載の車載用オーディオ装置。
【請求項３】
前記制御部は、前記バッテリ残量データが所定値以下の時、再生中の前記携帯楽曲データが再生終了したか否かを判定し、前記携帯楽曲データが再生終了したと判定された場合、前記楽曲データ記憶部に記憶された車載楽曲データに切り替えて再生するよう制御する、
ことを特徴とする請求項１または２記載の車載用オーディオ装置。
【請求項４】
前記制御部は、前記バッテリ残量データが所定値以下の時、再生中の携帯楽曲データの楽曲情報と前記楽曲データ記憶部に記憶された楽曲情報とを比較し、
前記再生中の携帯楽曲データの楽曲情報と同一の楽曲情報が前記楽曲データ記憶部に存在した場合、前記楽曲データ記憶部に記憶された前記同一の楽曲情報に対応付けされた車載楽曲データを再生するよう制御する、
ことを特徴とする請求項１〜３のいずれかに記載の車載用オーディオ装置。
【請求項５】
前記制御部により比較される楽曲情報は楽曲名、アルバム名、アーティスト名、ジャンル名のいずれかである、
ことを特徴とする請求項４記載の車載用オーディオ装置。
【請求項６】
前記制御部により比較される楽曲情報は楽曲名、アルバム名、アーティスト名、ジャンル名の組合せであり、各楽曲情報に比較順序を設定し、
前記制御部は、該比較順序で前記再生中の携帯楽曲データの楽曲情報と前記楽曲データ記憶部に記憶された楽曲情報とを比較する、
ことを特徴とする請求項４記載の車載用オーディオ装置。
【請求項７】
前記制御部により比較される楽曲情報が楽曲名であり、前記再生中の携帯楽曲データの楽曲名と同一の楽曲名が前記楽曲データ記憶部に存在した場合、
前記制御部は、前記楽曲データ記憶部に記憶された前記同一の楽曲名に対応付けされた車載楽曲データを前記再生中の携帯楽曲データの残再生時間または再生経過時間に相当する部分から再生するよう制御する、
ことを特徴とする請求項５または６記載の車載用オーディオ装置。
【請求項８】
前記制御部により比較される楽曲情報がアルバム名であり、前記再生中の携帯楽曲データのアルバム名と同一のアルバム名が前記楽曲データ記憶部に存在した場合、
前記制御部は、前記再生中の携帯楽曲データの次に再生すべき携帯楽曲データの楽曲名と前記楽曲データ記憶部に記憶された楽曲名とを比較し、前記次に再生すべき携帯楽曲データの楽曲名と同一の楽曲名が前記楽曲データ記憶部に存在した場合、前記同一の楽曲名に対応付けされた車載楽曲データを再生するよう制御する、
ことを特徴とする請求項５または６記載の車載用オーディオ装置。
【請求項９】
楽曲情報と該楽曲情報に対応付けされた携帯楽曲データとを記憶した携帯オーディオ装置が接続され、該携帯オーディオ装置から携帯楽曲データを取得して再生する車載用オーディオ装置において、
楽曲情報と楽曲データとを含む放送波を受信するチューナーと、
前記チューナーより受信した前記楽曲情報をチャンネルまたは受信周波数あるいは放送局と対応付けて記憶する楽曲データ記憶部と、
前記携帯楽曲データ再生中に、前記携帯オーディオ装置からバッテリ残量データを受信するバッテリ残量受信部と、
前記バッテリ残量受信部により受信されたバッテリ残量データが所定値以下の時、再生中の携帯楽曲データの楽曲情報と前記楽曲データ記憶部に記憶された楽曲情報とを比較し、前記再生中の携帯楽曲データの楽曲情報と同一の楽曲情報が前記楽曲データ記憶部に存在した場合、前記楽曲データ記憶部に記憶された前記同一の楽曲情報に対応付けられたチャンネルまたは受信周波数あるいは放送局から放送波を受信して楽曲データを再生するよう制御する制御部とを、
備えることを特徴とする車載用オーディオ装置。
【請求項１０】
楽曲情報と該楽曲情報に対応付けされた携帯楽曲データとを記憶した携帯オーディオ装置が接続され、該携帯オーディオ装置から携帯楽曲データを取得して再生する車載用オーディオ装置の再生方法において、
楽曲情報と該楽曲情報に対応付けされた車載楽曲データとを記憶する第１ステップ、
前記携帯楽曲データ再生中に、前記携帯オーディオ装置からバッテリ残量データを受信する第２ステップ、
前記バッテリ残量データが所定値以下の時、前記携帯楽曲データから前記車載楽曲データに切り替えて再生する第３ステップ、
を有することを特徴とする車載用オーディオ装置の再生方法。
【請求項１１】
前記第３ステップは、前記バッテリ残量データが所定値以下の時、前記携帯楽曲データから前記車載楽曲データへ切り替え再生することを選択させる画面を生成して表示する第４ステップ、
前記切り替え再生が選択された場合、前記携帯楽曲データから前記車載楽曲データに切り替えて再生する第５ステップ、
を有することを特徴とする請求項９記載の車載用オーディオ装置の再生方法。
【請求項１２】
前記第３ステップは、前記バッテリ残量データが所定値以下の時、再生中の前記携帯楽曲データが再生終了したか否かを判定する第６ステップ、
前記第６ステップにより、前記携帯楽曲データが再生終了したと判定された場合、前記車載楽曲データに切り替えて再生する第７ステップ、
を有することを特徴とする請求項９または１０記載の車載用オーディオ装置の再生方法。
【請求項１３】
前記第３ステップは、前記バッテリ残量データが所定値以下の時、再生中の携帯楽曲データの楽曲情報と前記楽曲データ記憶部に記憶された楽曲情報とを比較する第８ステップ、
前記第８ステップにより、前記再生中の携帯楽曲データの楽曲情報と同一の楽曲情報が前記楽曲データ記憶部に存在した場合、前記楽曲データ記憶部に記憶された前記同一の楽曲情報に対応付けされた車載楽曲データを再生する第９ステップ、
を有することを特徴とする請求項９〜１１のいずれかに記載の車載用オーディオ装置の再生方法。
【請求項１４】
前記第８ステップにより比較される楽曲情報は楽曲名、アルバム名、アーティスト名、ジャンル名のいずれかである、
ことを特徴とする請求項１２記載の車載用オーディオ装置の再生方法。
【請求項１５】
前記第８ステップにより比較される楽曲情報は楽曲名、アルバム名、アーティスト名、ジャンル名の組合せであり、
前記第８ステップは、各楽曲情報に比較順序を設定し、該比較順序で前記再生中の携帯楽曲データの楽曲情報と前記楽曲データ記憶部に記憶された楽曲情報とを比較する、
ことを特徴とする請求項１２記載の車載用オーディオ装置の再生方法。
【請求項１６】
前記第８ステップにより比較される楽曲情報が楽曲名であり、前記第８ステップにより前記再生中の携帯楽曲データの楽曲名と同一の楽曲名が前記楽曲データ記憶部に存在した場合、
前記第９ステップは、前記楽曲データ記憶部に記憶された前記同一の楽曲名に対応付けされた車載楽曲データを前記再生中の携帯楽曲データの残再生時間または再生経過時間に相当する部分から再生する、
ことを特徴とする請求項１３または１４記載の車載用オーディオ装置の再生方法。
【請求項１７】
前記第８ステップにより比較される楽曲情報がアルバム名であり、前記第８ステップにより前記再生中の携帯楽曲データのアルバム名と同一のアルバム名が前記楽曲データ記憶部に存在した場合、
前記再生中の携帯楽曲データの次に再生すべき携帯楽曲データの楽曲名と前記楽曲データ記憶部に記憶された楽曲名とを比較する第１０ステップ、
前記第１０ステップにより前記次に再生すべき携帯楽曲データの楽曲名と同一の楽曲名が前記楽曲データ記憶部に存在した場合、前記同一の楽曲名に対応付けされた車載楽曲データを再生する第１１ステップ、
を有することを特徴とする請求項１３または１４記載の車載用オーディオ装置の再生方法。
【請求項１８】
楽曲情報と該楽曲情報に対応付けされた携帯楽曲データとを記憶した携帯オーディオ装置が接続され、該携帯オーディオ装置から携帯楽曲データを取得して再生する車載用オーディオ装置の再生方法において、
楽曲情報と楽曲データとを含む放送波を受信するステップ、
前記楽曲情報をチャンネルまたは受信周波数あるいは放送局と対応付けて記憶するステップ、
前記携帯楽曲データ再生中に、前記携帯オーディオ装置からバッテリ残量データを受信するステップ、
前記バッテリ残量データが所定値以下の時、再生中の携帯楽曲データの楽曲情報と前記楽曲データ記憶部に記憶された楽曲情報とを比較し、前記再生中の携帯楽曲データの楽曲情報と同一の楽曲情報が前記楽曲データ記憶部に存在した場合、前記楽曲データ記憶部に記憶された前記同一の楽曲情報に対応付けられたチャンネルまたは受信周波数あるいは放送局から放送波を受信して楽曲データを再生するステップ、
を有することを特徴とする車載用オーディオ装置の再生方法。
【発明の詳細な説明】
【技術分野】
【０００１】
本発明は、車載用オーディオ装置に係わり、特に、楽曲情報と該楽曲情報に対応付けされた携帯楽曲データとを記憶した携帯オーディオ装置が接続され、該携帯オーディオ装置から携帯楽曲データを取得して再生する車載用オーディオ装置及びその再生方法に関する。
【背景技術】
【０００２】
近年、車載用オーディオ装置は、楽曲情報（楽曲名、アルバム名、アーティスト名等）と該楽曲情報に対応付けされた楽曲データ（以下、携帯楽曲データ）とを記憶することができる携帯オーディオ装置が接続され、該携帯オーディオ装置から携帯楽曲データを取得して再生することができるようになっている。
【０００３】
しかしながら、従来の車載用オーディオ装置は、携帯オーディオ装置に記憶された携帯楽曲データを長時間連続して再生していると、携帯オーディオ装置のバッテリ残量が携帯楽曲データ再生中に減少し、携帯楽曲データの再生動作が突然中断されることがあった。特に、携帯オーディオ装置が無線通信により車載用オーディオ装置に接続されている場合、再生動作中に携帯オーディオ装置の充電が行われないため、この問題が発生し易い。
【０００４】
上記問題を解決するための従来技術として、ユーザに迅速かつ容易に携帯型外部記憶装置のバッテリ残量及びバッテリ残量が少なくなったことを示す警告を知らせる外部記憶装置がある（特許文献１参照）。この従来技術を携帯オーディオ装置が接続可能な車載用オーディオ装置に適用すれば、携帯オーディオ装置に記憶された携帯楽曲データを長時間連続して再生しても、ユーザは携帯オーディオ装置のバッテリ残量が少なくなったことを容易に認識することができ、携帯楽曲データの再生動作が突然中断されることを防止できる。
【特許文献１】特開２００３−２２３２４５号公報
【発明の開示】
【発明が解決しようとする課題】
【０００５】
しかしながら、上記従来技術では、ユーザは携帯オーディオ装置のバッテリ残量が少なくなったことを知ることができるものの、例えば、ユーザが運転中で車載用オーディオ装置を操作することが困難な状況である場合、音源を携帯オーディオ装置から車載用オーディオ装置に切り替えることができず、携帯オーディオ装置のバッテリ残量が携帯楽曲データ再生中に減少し、携帯楽曲データの再生が停止され、ユーザが再操作しない限り車内で楽曲を視聴することができない。
本発明の目的は、携帯オーディオ装置に記憶されている携帯楽曲データ再生中に携帯オーディオ装置のバッテリの残量が少なくなっても、楽曲データの再生を継続することが可能な車載用オーディオ装置及びその再生方法を提供することである。
【課題を解決するための手段】
【０００６】
・車載用オーディオ装置
本発明は、楽曲情報と該楽曲情報に対応付けされた携帯楽曲データとを記憶した携帯オーディオ装置が接続され、該携帯オーディオ装置から携帯楽曲データを取得して再生する車載用オーディオ装置であり、楽曲情報と該楽曲情報に対応付けされた車載楽曲データとを記憶する楽曲データ記憶部と、前記携帯楽曲データ再生中に、前記携帯オーディオ装置からバッテリ残量データを受信するバッテリ残量受信部と、前記バッテリ残量受信部により受信されたバッテリ残量データが所定値以下の時、前記携帯楽曲データから前記車載楽曲データに切り替えて再生するよう制御する制御部と、前記制御部の指示に基づいて車載楽曲データを再生する楽曲データ再生部とを備えている。
【０００７】
前記携帯オーディオ装置に記憶された楽曲情報および前記楽曲データ記憶部に記憶された楽曲情報を表示する表示部を備え、前記制御部は、前記バッテリ残量データが所定値以下の時、前記携帯楽曲データから前記車載楽曲データへ切り替え再生することを選択させる画面を生成して前記表示部に表示し、前記切り替え再生が選択された場合、前記携帯楽曲データから前記車載楽曲データに切り替えて再生するよう制御する。
【０００８】
前記制御部は、前記バッテリ残量データが所定値以下の時、再生中の前記携帯楽曲データが再生終了したか否かを判定し、前記携帯楽曲データが再生終了したと判定された場合、前記楽曲データ記憶部に記憶された車載楽曲データに切り替えて再生するよう制御する。
【０００９】
前記制御部は、前記バッテリ残量データが所定値以下の時、再生中の携帯楽曲データの楽曲情報と前記楽曲データ記憶部に記憶された楽曲情報とを比較し、前記再生中の携帯楽曲データの楽曲情報が前記楽曲データ記憶部に存在した場合、前記楽曲データ記憶部に記憶された楽曲情報に対応付けされた車載楽曲データを再生するよう制御する。
【００１０】
前記制御部により比較される楽曲情報は楽曲名、アルバム名、アーティスト名、ジャンル名のいずれかである。
【００１１】
前記制御部により比較される楽曲情報は楽曲名、アルバム名、アーティスト名、ジャンル名の組合せであり、各楽曲情報に比較順序を設定し、前記制御部は、該比較順序で前記再生中の携帯楽曲データの楽曲情報と前記楽曲データ記憶部に記憶された楽曲情報とを比較する。
【００１２】
前記制御部により比較される楽曲情報が楽曲名であり、前記再生中の携帯楽曲データの楽曲名と同一の楽曲名が前記楽曲データ記憶部に存在した場合、前記制御部は、前記楽曲データ記憶部に記憶された前記同一の楽曲名に対応付けされた車載楽曲データを前記再生中の携帯楽曲データの残再生時間または再生経過時間に相当する部分から再生するよう制御する。
【００１３】
前記制御部により比較される楽曲情報がアルバム名であり、前記再生中の携帯楽曲データのアルバム名と同一のアルバム名が前記楽曲データ記憶部に存在した場合、前記制御部は、前記再生中の携帯楽曲データの次に再生すべき携帯楽曲データの楽曲名と前記楽曲データ記憶部に記憶された楽曲名とを比較し、前記次に再生すべき携帯楽曲データの楽曲名と同一の楽曲名が前記楽曲データ記憶部に存在した場合、前記同一の楽曲名に対応付けされた車載楽曲データを再生するよう制御する。
【００１４】
本発明は、楽曲情報と該楽曲情報に対応付けされた携帯楽曲データとを記憶した携帯オーディオ装置が接続され、該携帯オーディオ装置から携帯楽曲データを取得して再生する車載用オーディオ装置であり、楽曲情報と楽曲データとを含む放送波を受信するチューナーと、前記チューナーより受信した前記楽曲情報をチャンネルまたは受信周波数あるいは放送局と対応付けて記憶する楽曲データ記憶部と、前記携帯楽曲データ再生中に、前記携帯オーディオ装置からバッテリ残量データを受信するバッテリ残量受信部と、前記バッテリ残量受信部により受信されたバッテリ残量データが所定値以下の時、再生中の携帯楽曲データの楽曲情報と前記楽曲データ記憶部に記憶された楽曲情報とを比較し、前記再生中の携帯楽曲データの楽曲情報と同一の楽曲情報が前記楽曲データ記憶部に存在した場合、前記楽曲データ記憶部に記憶された前記同一の楽曲情報に対応付けられたチャンネルまたは受信周波数あるいは放送局から放送波を受信して楽曲データを再生するよう制御する制御部とを備えている。
【００１５】
・車載用オーディオ装置の再生方法
本発明は、楽曲情報と該楽曲情報に対応付けされた携帯楽曲データとを記憶した携帯オーディオ装置が接続され、該携帯オーディオ装置から携帯楽曲データを取得して再生する車載用オーディオ装置の再生方法であり、楽曲情報と該楽曲情報に対応付けされた車載楽曲データとを記憶する第１ステップ、前記携帯楽曲データ再生中に、前記携帯オーディオ装置からバッテリ残量データを受信する第２ステップ、前記バッテリ残量データが所定値以下の時、前記携帯楽曲データから前記車載楽曲データに切り替えて再生する第３ステップを有している。
【００１６】
前記第３ステップは、前記バッテリ残量データが所定値以下の時、前記携帯楽曲データから前記車載楽曲データへ切り替え再生することを選択させる画面を生成して表示する第４ステップ、前記切り替え再生が選択された場合、前記携帯楽曲データから前記車載楽曲データに切り替えて再生する第５ステップを有している。
【００１７】
前記第３ステップは、前記バッテリ残量データが所定値以下の時、再生中の前記携帯楽曲データが再生終了したか否かを判定する第６ステップ、前記第６ステップにより、前記携帯楽曲データが再生終了したと判定された場合、前記車載楽曲データに切り替えて再生する第７ステップを有している。
【００１８】
前記第３ステップは、前記バッテリ残量データが所定値以下の時、再生中の携帯楽曲データの楽曲情報と前記楽曲データ記憶部に記憶された楽曲情報とを比較する第８ステップ、前記第８ステップにより、前記再生中の携帯楽曲データの楽曲情報と同一の楽曲情報が前記楽曲データ記憶部に存在した場合、前記楽曲データ記憶部に記憶された前記同一の楽曲情報に対応付けされた車載楽曲データを再生する第９ステップを有している。
【００１９】
前記第８ステップにより比較される楽曲情報は楽曲名、アルバム名、アーティスト名、ジャンル名のいずれかである。
【００２０】
前記第８ステップにより比較される楽曲情報は楽曲名、アルバム名、アーティスト名、ジャンル名の組合せであり、前記第８ステップは、各楽曲情報に比較順序を設定し、該比較順序で前記再生中の携帯楽曲データの楽曲情報と前記楽曲データ記憶部に記憶された楽曲情報とを比較する。
【００２１】
前記第８ステップにより比較される楽曲情報が楽曲名であり、前記第８ステップにより前記再生中の携帯楽曲データの楽曲名と同一の楽曲名が前記楽曲データ記憶部に存在した場合、前記第９ステップは、前記楽曲データ記憶部に記憶された前記同一の楽曲名に対応付けされた車載楽曲データを前記再生中の携帯楽曲データの残再生時間または再生経過時間に相当する部分から再生する。
【００２２】
前記第８ステップにより比較される楽曲情報がアルバム名であり、前記第８ステップにより前記再生中の携帯楽曲データのアルバム名と同一のアルバム名が前記楽曲データ記憶部に存在した場合、前記再生中の携帯楽曲データの次に再生すべき携帯楽曲データの楽曲名と前記楽曲データ記憶部に記憶された楽曲名とを比較する第１０ステップ、前記第１０ステップにより前記次に再生すべき携帯楽曲データの楽曲名と同一の楽曲名が前記楽曲データ記憶部に存在した場合、前記同一の楽曲名に対応付けされた車載楽曲データを再生する第１１ステップを有している。
【００２３】
本発明は、楽曲情報と該楽曲情報に対応付けされた携帯楽曲データとを記憶した携帯オーディオ装置が接続され、該携帯オーディオ装置から携帯楽曲データを取得して再生する車載用オーディオ装置の再生方法であり、楽曲情報と楽曲データとを含む放送波を受信するステップ、前記楽曲情報をチャンネルまたは受信周波数あるいは放送局と対応付けて記憶するステップ、前記携帯楽曲データ再生中に、前記携帯オーディオ装置からバッテリ残量データを受信するステップ、前記バッテリ残量データが所定値以下の時、再生中の携帯楽曲データの楽曲情報と前記楽曲データ記憶部に記憶された楽曲情報とを比較し、前記再生中の携帯楽曲データの楽曲情報と同一の楽曲情報が前記楽曲データ記憶部に存在した場合、前記楽曲データ記憶部に記憶された前記同一の楽曲情報に対応付けられたチャンネルまたは受信周波数あるいは放送局から放送波を受信して楽曲データを再生するステップを有している。
【発明の効果】
【００２４】
本発明によれば、携帯オーディオ装置に記憶された携帯楽曲データ再生中にバッテリ残量が所定値以下となった時、前記携帯楽曲データから楽曲データ記憶部に記憶された車載楽曲データに切り替えて再生するようにしたため、前記携帯楽曲データ再生中に携帯オーディオ装置のバッテリの残量が少なくなっても、楽曲データ再生を継続することができる。
【００２５】
本発明によれば、携帯オーディオ装置のバッテリ残量が所定値以下となった時、携帯楽曲データから車載楽曲データへ切り替え再生することを選択させる画面を生成して表示し、前記切り替え再生が選択された場合、前記携帯楽曲データから前記車載楽曲データに切り替えて再生するようにしたため、ユーザに携帯オーディオ装置のバッテリ残量が少ないことを警告することができると共に、楽曲データ再生を容易に継続することができる。
【００２６】
本発明によれば、携帯オーディオ装置に記憶された携帯楽曲データ再生中にバッテリ残量が所定値以下となった時、再生中の前記携帯楽曲データが再生終了したか否かを判定し、該携帯楽曲データが再生終了したと判定された場合、前記楽曲データ記憶部に記憶された車載楽曲データに切り替えて再生するようにしたため、携帯楽曲データから車載楽曲データに切り替えて再生する際、ユーザに違和感を与えることなく楽曲データ再生を継続することができる。
【００２７】
本発明によれば、携帯オーディオ装置に記憶された携帯楽曲データ再生中にバッテリ残量が所定値以下となった時、再生中の携帯楽曲データの楽曲情報と前記楽曲データ記憶部に記憶された楽曲情報とを比較し、前記再生中の携帯楽曲データの楽曲情報と同一の楽曲情報が前記楽曲データ記憶部に存在した場合、前記楽曲データ記憶部に記憶された前記同一の楽曲情報に対応付けされた車載楽曲データを再生するようにしたため、車載楽曲データに切り替えて再生する際、ユーザの好みの楽曲を継続して再生することができる。
【００２８】
本発明によれば、再生中の携帯楽曲データの楽曲名と楽曲データ記憶部に記憶された楽曲名とを比較し、前記再生中の携帯楽曲データの楽曲名と同一の楽曲名が前記楽曲データ記憶部に存在した場合、前記楽曲データ記憶部に記憶された前記同一の楽曲名に対応付けされた車載楽曲データを前記再生中の携帯楽曲データの残再生時間または再生経過時間に相当する部分から再生するようにしたため、車載楽曲データへ切り替え再生をシームレスに行うことができる。
【００２９】
本発明によれば、再生中の携帯楽曲データのアルバム名と前記楽曲データ記憶部に記憶されたアルバム名とを比較し、前記再生中の携帯楽曲データのアルバム名と同一のアルバム名が前記楽曲データ記憶部に存在した場合、前記再生中の携帯楽曲データの次に再生すべき携帯楽曲データの楽曲名と前記楽曲データ記憶部に記憶された楽曲名とを比較し、前記次に再生すべき携帯楽曲データの楽曲名と同一の楽曲名が前記楽曲データ記憶部に存在した場合、前記同一の楽曲名に対応付けされた車載楽曲データを再生するようにしたため、車載楽曲データに切り替え再生後も、ユーザに前記アルバムに含まれる楽曲を継続して提供することができる。
【００３０】
本発明によれば、携帯オーディオ装置に記憶された携帯楽曲データ再生中にバッテリ残量が所定値以下となった時、前記携帯楽曲データから、放送されている楽曲データに切り替えて再生するようにしたため、前記携帯楽曲データ再生中に携帯オーディオ装置のバッテリの残量が少なくなっても、楽曲データ再生を継続することができる。
【発明を実施するための最良の形態】
【００３１】
（１）車載用オーディオ装置の構成
図１は、本発明に係る車載用オーディオ装置の構成図であり、図２は、車載用オーディオ装置に記憶される楽曲情報と車載楽曲データの詳細を示す図である。
符号１は、ＣＤが装填されてこのＣＤを回転駆動するＣＤドライブを示しており、このＣＤドライブ１はＣＤを線速度一定でスピンドル回転制御すると共に、フォーカス／トラッキングサーボ制御する。ＣＤ読込部２はＣＤドライブ１の光ピックアップで読み込んだ信号をＥＦＭ処理、ＡＧＣ処理後、デジタル信号処理してＴＯＣ情報と楽曲データを発生する。楽曲データ再生部３は楽曲データを用いてＤＡ変換処理等の制御を行って、アンプ４を介してスピーカ５より再生音を出力する。制御部６は、ＴＯＣ情報を用いて再生中の楽曲のトラック番号、再生時間等を表示部７に表示する。
また、ＣＤドライブ１に装填されたＣＤの楽曲データを記憶するには、ユーザが操作部８から楽曲データを記憶するように指示する。制御部６は、ＣＤ読込部２にＴＯＣ情報及び楽曲データを送信するように指示し、その指示に基づいてＣＤ読込部２は、制御部６にＴＯＣ情報及び楽曲データを送信する。その後、制御部６は、ＣＤ読込部２より送信されたＴＯＣ情報に基づいて、予めＴＯＣ情報に対応させて楽曲情報が記憶されている楽曲情報データベース（図示しない）等から楽曲情報（アルバム名、アーティスト名、ジャンル名、楽曲名等）を取得し、該楽曲情報と該楽曲情報に対応する楽曲データ（以下、車載楽曲データ）とを対応付けて楽曲データ記憶部９に記憶する（図２）。楽曲データ記憶部９に記憶された車載楽曲データを再生するには、ユーザが操作部８から楽曲データ記憶部９に記憶された車載楽曲データを再生するように指示する。この再生指示は、楽曲データ記憶部９に記憶された複数の楽曲情報を表示部７に表示させ、その中から１つの楽曲情報をユーザが選択することにより行われる。制御部６は、この指示に基づいて楽曲データ記憶部９から再生すべき車載楽曲データを読み出して楽曲データ再生部３に送信し、楽曲データ再生部３は車載楽曲データを用いてＤＡ変換処理等の制御を行って、アンプ４を介してスピーカ５より再生音を出力する。更に、制御部６は楽曲データ記憶部９から再生中の楽曲の楽曲情報を読み出して表示部７に表示する。以上はＣＤを再生する車載用オーディオ装置を用いる場合であるが、ＤＶＤ等を再生する車載用オーディオ装置を用いることもできる。
【００３２】
また、ユーザが操作部８から音源をラジオ等の放送波に設定すると、チューナー１３は、アンテナ１２を介してユーザにより予め指定されたチャンネルまたは周波数の放送波を受信する。受信した放送波の中に楽曲情報（アーティスト名、ジャンル名、楽曲名等）と楽曲データが含まれている場合、チューナー１３は楽曲情報と楽曲データとを分離し、楽曲データはアンプ４を介してスピーカ５より出力される。また、チューナー１３は、分離された楽曲情報と受信中のチャンネルまたは受信周波数あるいは放送局名を示すデータを生成して制御部６に入力し、制御部６は該データを表示部７に表示する。
【００３３】
上記車載用オーディオ装置Ａ１には、後述する携帯オーディオ装置Ｐ１が、無線ＬＡＮなどの無線通信方式またはＵＳＢなどの有線通信方式の通信インターフェース１１を介して接続可能である。携帯オーディオ装置Ｐ１に記憶されている携帯楽曲データを再生するには、まず、制御部６が、携帯オーディオ装置Ｐ１が接続されたことを認識して、この携帯オーディオＰ１に対し、携帯オーディオ装置Ｐ１内の携帯楽曲データ記憶部（ＨＤＤや半導体メモリ）に記憶されている楽曲情報（アルバム名、アーティスト名、ジャンル名、楽曲名等）を送信するように通信インターフェース１１を介して要求する。この要求により、携帯オーディオ装置Ｐ１は楽曲情報を通信インターフェース１１を介して送信する。制御部６は、該楽曲情報を携帯情報記憶部１０に記憶する。そして、制御部６は、携帯情報記憶部１０に記憶された楽曲情報を表示部７に表示する。ユーザが操作部８より、表示部７に表示された所定の楽曲情報を選択したら、制御部６は、携帯オーディオ装置P１より上記所定の楽曲情報に対応づけされた携帯楽曲データを通信インターフェース１１を介して取得し、この携帯楽曲データを再生するように楽曲データ再生部３に指示する。この指示により、楽曲データ再生部３は携帯楽曲データを再生し、アンプ４を介してスピーカ５より再生音を出力する。また、携帯楽曲データの再生中において、制御部６は、携帯オーディオ装置P１からバッテリ残量データを所定時間間隔でまたは随時受信し、バッテリ残量が所定値（所定電圧値）以下であるか判定する。バッテリ残量が所定値以下であると判定された場合、制御部６は、現在再生中の携帯楽曲データの楽曲情報と楽曲データ記憶部９に記憶された楽曲情報とを予め設定される比較順序に従って比較し、比較結果に応じて携帯楽曲データの再生動作から楽曲データ記憶部９に記憶された車載楽曲データの再生動作に切り替えるよう制御する。なお、切り替え再生処理の詳細は後述する。
【００３４】
（２）携帯オーディオ装置の構成
図３は、本発明に係るに係る携帯オーディオ装置の構成図であり、図４は、携帯オーディオ装置に記憶される楽曲情報と携帯楽曲データの詳細を示す図である。
携帯オーディオ装置Ｐ１の電源がオンされると、バッテリ２１は携帯オーディオ装置を構成する各部２０に電源を供給する。この時、バッテリ残量監視部２２はバッテリ２１の残量（電圧値）を常時または随時監視し、バッテリ残量データを携帯制御部２４に送信する。そして、携帯制御部２４はこのバッテリ残量をバー表示等で表示部２５に表示する。
携帯楽曲データの記憶に際して、携帯オーディオ装置P１に例えばＰＣ等の楽曲情報と該楽曲情報に対応付けされた楽曲データとを記憶している外部機器（図示しない）を通信インターフェース２３を介して接続する。そして、携帯制御部２４は操作部２６からのユーザ指示に従って、外部機器より楽曲情報と楽曲データとを通信インターフェース２３を介して取得し、上記外部機器の楽曲情報に画像データが含まれていれば、該画像データも携帯楽曲データ記憶部２７に記憶することができる。
【００３５】
上記方法により携帯楽曲データと楽曲情報とが携帯楽曲データ記憶部２７に記憶された状態において、操作部２６からのユーザ指示により、携帯制御部２４は携帯楽曲データ記憶部２７から楽曲情報を読み出し、表示部２５に表示する。ユーザは、該表示された複数の楽曲情報の中から操作部２６により所望の楽曲情報を選択する。これにより、携帯制御部２４に所望の楽曲情報に対応付けされた該携帯楽曲データの再生要求がされ、携帯制御部２４は携帯楽曲データ記憶部２７から該携帯楽曲データを読み出して、この携帯楽曲データを再生するように携帯楽曲データ再生部２８に指示する。この指示に基づいて、携帯楽曲データ再生部２８は携帯楽曲データを再生してヘッドホン２９より再生音を出力する。
【００３６】
前述したように、上記携帯オーディオ装置Ｐ１は車載用オーディオ装置Ａ１に接続可能である。車載用オーディオ装置Ａ１で携帯オーディオ装置Ｐ１に記憶されている携帯楽曲データを再生するには、携帯オーディオ装置Ｐ１を図１に示した車載用オーディオ装置Ａ１に通信インターフェース２３を介して接続する。携帯制御部２４は制御部６（図１）より楽曲情報を送信するように指示されると、携帯楽曲データ記憶部２７より楽曲情報を読み出し、通信インターフェース２３および通信インターフェース１１を介して制御部６に送信する。また、ユーザが操作部８（図１）で所望の楽曲を選択し、制御部６から該選択された楽曲の携帯楽曲データを送信するように指示されると、携帯制御部２４は携帯楽曲データ記憶部２７より該携帯楽曲データを読み出し、通信インターフェース２３を介して制御部６に送信する。また、携帯制御部２４は、携帯楽曲データを制御部２に送信している期間は、バッテリ残量監視部２２から送信されるバッテリ残量データを所定時間間隔でまたは随時、制御部６に送信する。そして、制御部６より携帯楽曲データの再生停止が指示されると、携帯制御部２４は携帯楽曲データの読み出し処理を停止して待機する。また、制御部６から携帯オーディオ装置Ｐ１に対して電源オフコマンドが送信されると、バッテリ２１は各部２０に対する電源供給を停止して、携帯オーディオ装置Ｐ１は電源オフされる。なお、携帯制御部２４は、バッテリ残量監視部２２から送信されるバッテリ残量データが所定値（所定電圧値）以下となったか否かを判断し、所定値以下となったときにのみ、バッテリ残量データを制御部６に送信するようにしても良い。
【００３７】
（３）車載用オーディオ装置の再生処理
本発明に係る車載用オーディオ装置の再生処理は、車載用オーディオ装置で携帯オーディオ装置に記憶されている携帯楽曲データ再生中に、携帯オーディオ装置のバッテリ残量が不足した際、携帯オーディオ装置に記憶されている携帯楽曲データから車載用オーディオ装置に記憶されている車載楽曲データに切り替えて再生するものである。
図５〜図７は、本発明に係る車載用オーディオ装置の再生処理のフローチャートであり、楽曲データ記憶部９及び携帯楽曲データ記憶部２７にはそれぞれ図２及び図４に示すような楽曲データ及び楽曲情報が記憶されている。また、上記楽曲情報の比較順序は楽曲名、アルバム名、アーティスト名、ジャンル名の順に予め設定されている。
ユーザは車載用オーディオ装置Ａ１の通信インターフェース１１と携帯オーディオ装置Ｐ１の通信インターフェース２３とを接続する。なお、各通信インターフェース１１、２３の接続は有線接続に限らずブルートゥース等の無線接続でもよい。制御部６は、携帯オーディオ装置Ｐ１が接続されたことを認識して、携帯制御部２４に楽曲情報を送信するように通信インターフェース１１を介して指示する。この指示により、携帯制御部２４は携帯楽曲データ記憶部２７から楽曲情報（アルバム名、アーティスト名、ジャンル名、楽曲名等）を読み出して、制御部６に通信インターフェース２３を介して送信する。これにより、制御部６は、携帯オーディオ装置Ｐ１に記憶されている楽曲情報を取得し、携帯情報記憶部１０に記憶する（ステップＳ１）。これにより、携帯情報記憶部１０には図４に示すような楽曲情報が記憶される。
次に、ユーザが操作部８より、携帯オーディオ装置Ｐ１の再生モードを選択すると、制御部６が携帯情報記憶部１０に記憶された複数の楽曲情報を表示部７に表示させる。この複数の楽曲情報の中から、ユーザが所望の楽曲情報を選択する操作を行うと、制御部６は該所望の楽曲情報に対応する携帯楽曲データを再生指示する（ステップＳ３）。すなわち、制御部６は、携帯制御部２４に再生指示された携帯楽曲データを送信するよう指示し、携帯制御部２４は携帯楽曲データ記憶部２７より携帯楽曲データを読み出して制御部６に送信する。そして、制御部６はこの携帯楽曲データを再生するように楽曲データ再生部３に指示し、楽曲データ再生部３は携帯楽曲データを再生してスピーカ５より再生音を出力する（ステップＳ５）。その後、携帯楽曲データ再生中、携帯制御部２４はバッテリ残量監視部２２から送信されるバッテリ残量データを例えば６０秒毎の所定時間間隔で制御部６に対して送信し、制御部６はこのバッテリ残量データを受信して（ステップＳ７）、バッテリ残量が所定値以下であるか否か判定する（ステップＳ９）。ステップＳ９において、制御部６によりバッテリ残量が所定値以下でないと判定された場合、ステップＳ７の処理を繰り返し行う。
【００３８】
ステップＳ９において、制御部６によりバッテリ残量が所定値以下であると判定された場合、制御部６は現在再生中の携帯楽曲データの楽曲名と同一の楽曲名が楽曲データ記憶部９に記憶されているか否か判定する（ステップＳ１１）。ステップＳ１１において、現在再生中の携帯楽曲データの楽曲名と同一の楽曲名が楽曲データ記憶部９に記憶されていれば、制御部６は携帯制御部２４に現在再生中の携帯楽曲データの再生時間情報（残再生時間または再生経過時間）を送信するように指示する。この指示により携帯制御部２４は現在再生中の携帯楽曲データの再生時間情報を制御部６に送信する。そして、制御部６はこの再生時間情報を受信して（ステップＳ１３）、楽曲データ記憶部９から現在再生中の楽曲名と同一の楽曲名の車載楽曲データを、上記残再生時間または再生経過時間に相当する部分から読み出し、楽曲データ再生部３により再生させる（ステップＳ１５）。
具体的には、車載用オーディオ装置Ａ１で、図４に示す携帯オーディオ装置Ｐ１の携帯楽曲データであるＤＡＴＡ＿Ａを再生中に、携帯オーディオ装置Ｐ１のバッテリ残量が所定値以下となった場合、ステップＳ１１〜Ｓ１５の処理により、携帯楽曲データであるＤＡＴＡ＿Ａに代えて、車載用オーディオ装置Ａ１の楽曲データ記憶部９に記憶されている車載楽曲データ（図２参照）であるＤＡＴＡ＿Ａを、上記残再生時間または再生経過時間に相当する部分から切り替え再生する。これにより、同一の楽曲をシームレスに（途切れることなく継続して）再生することができる。
【００３９】
ステップＳ１１において、現在再生中の携帯楽曲データの楽曲名と同一の楽曲名が楽曲データ記憶部９に記憶されていなければ、制御部６は現在再生中の携帯楽曲データのアルバム名と同一のアルバム名が楽曲データ記憶部９に記憶されているか否か判定する（ステップＳ１７）。ステップＳ１７において、現在再生中の携帯楽曲データのアルバム名と同一のアルバム名が楽曲データ記憶部９に記憶されていれば、制御部６は携帯情報記憶部１０から楽曲番号情報を参照して、現在再生中の携帯楽曲データの次に再生すべき携帯楽曲データの楽曲名を読み出す（ステップS１９）。そして、制御部６は、次に再生すべき携帯楽曲データの楽曲名と同一の楽曲名が楽曲データ記憶部９に記憶されているか否か判定する（ステップＳ２１）。ステップＳ２１において、次に再生すべき携帯楽曲データの楽曲名と同一の楽曲名が楽曲データ記憶部９に記憶されていれば、制御部６は、楽曲データ記憶部９から次に再生すべき携帯楽曲データの楽曲名と同一の楽曲名を有する車載楽曲データを読み出し、楽曲データ再生部３により再生させる（ステップＳ２３）。
具体的には、車載用オーディオ装置Ａ１で、図４に示す携帯オーディオ装置Ｐ１の携帯楽曲データであるＤＡＴＡ＿Ｂを再生中に、携帯オーディオ装置Ｐ１のバッテリ残量が所定値以下となった場合、ステップＳ１７〜Ｓ２３の処理により、再生中の携帯楽曲データであるＤＡＴＡ＿Ｂに代えて、次に再生すべき携帯楽曲データであるＤＡＴＡ＿Ｃと同一の車載用オーディオ装置Ａ１の楽曲データ記憶部９に記憶されている車載楽曲データ（図２参照）であるＤＡＴＡ＿Ｃを再生開始する。
一方、次に再生すべき携帯楽曲データの楽曲名と同一の楽曲名が楽曲データ記憶部９に記憶されていなければ、制御部６は、現在再生中の携帯楽曲データのアルバム名と同一のアルバム名を有する車載楽曲データを、楽曲データ記憶部９から図２に示す楽曲番号順またはランダムに読み出し、楽曲データ再生部３により再生させる（ステップＳ２５）。
【００４０】
ステップＳ１７において、現在再生中の携帯楽曲データのアルバム名と同一のアルバム名が楽曲データ記憶部９に記憶されていなければ、制御部６は現在再生中の携帯楽曲データのアーティスト名と同一のアーティスト名が楽曲データ記憶部９に記憶されているか否か判定する（ステップＳ２７）。ステップＳ２７において、現在再生中の携帯楽曲データのアーティスト名と同一のアーティスト名が楽曲データ記憶部９に記憶されていれば、制御部６は、現在再生中の携帯楽曲データのアーティスト名と同一のアーティスト名の車載楽曲データを読み出し、楽曲データ再生部３により再生させる（ステップＳ２９）。一方、ステップＳ２７において、現在再生中の携帯楽曲データのアーティスト名と同一のアーティスト名が楽曲データ記憶部９に記憶されていなければ、制御部６は現在再生中の携帯楽曲データのジャンル名と同一のジャンル名が楽曲データ記憶部９に記憶されているか否か判定する（ステップＳ３１）。ステップＳ３１において、現在再生中の携帯楽曲データのジャンル名と同一のジャンル名が楽曲データ記憶部９に記憶されていれば、制御部６は、現在再生中の携帯楽曲データのジャンル名と同一のジャンル名を有する車載楽曲データを図２に示す楽曲番号順またはランダムに読み出し、楽曲データ再生部３により再生させる（ステップＳ３３）。ステップＳ３１において、現在再生中の携帯楽曲データのジャンル名と同一のジャンル名が楽曲データ記憶部９に記憶されていなければ、制御部６は、楽曲データ記憶部９に記憶されている楽曲番号順またはランダムに車載楽曲データを読み出し、楽曲データ再生部３により再生させる（ステップS３５）。
上記ステップＳ１５、Ｓ２３、Ｓ２５、Ｓ２９、Ｓ３３、Ｓ３５の各ステップにおいて、携帯楽曲データから楽曲データ記憶部９に記憶された車載楽曲データに切り替えて再生を開始した時点で、制御部６は携帯オーディオ装置Ｐ１に対して電源オフコマンドを送信し、携帯オーディオ装置Ｐ１の電源をオフさせる。
【００４１】
上記処理によれば、携帯オーディオ装置Ｐ１に記憶されている携帯楽曲データ再生中に携帯オーディオ装置Ｐ１のバッテリ残量が少なくなった場合に、自動的に車載楽曲データ再生動作に切り替えて楽曲データの再生を継続することができる。また、現在再生中の携帯楽曲データの楽曲情報と前記楽曲データ記憶部９に記憶された楽曲情報とを比較し、前記再生中の携帯楽曲データの楽曲情報と共通する楽曲情報を有する車載楽曲データを優先して再生するよう制御したため、車載楽曲データに切り替え再生する際、出来るだけユーザの好みの楽曲を違和感無く継続して再生することができる。
【００４２】
（４）本発明に係る車載用オーディオ装置の再生処理の変形例
上記実施例では携帯楽曲データ再生中に、携帯オーディオ装置Ｐ１のバッテリ残量が所定値以下になった時、該携帯楽曲データ再生途中（楽曲の途中）で携帯楽曲データから車載楽曲データへ切り替え再生を行うように制御したが、再生中の携帯楽曲データが再生終了したか否かを判定するステップを設け、前記携帯楽曲データが再生終了した（再生中の楽曲が終了した）と判定された場合、楽曲データ記憶部９に記憶された車載楽曲データに切り替えてこの車載楽曲データを曲頭から再生するよう制御してもよい。これにより、楽曲の途中ではなく楽曲間にて携帯楽曲データから車載楽曲データに切り替えられるため、ユーザに違和感を与えることなく楽曲データ再生を継続することができる。
【００４３】
また、上記実施例では携帯楽曲データ再生中に、携帯オーディオ装置Ｐ１のバッテリ残量が所定値以下になった時、自動的に該携帯楽曲データから車載楽曲データへ切り替え再生を行うように制御したが、上記ステップＳ９の処理後、携帯楽曲データから車載楽曲データへ切り替え再生するか否かを選択させる画面（図８）を生成して表示部７に表示し、ユーザに切り替え再生を行うか選択させるようにしてもよい。この場合、ユーザが運転中で操作が困難な状況である等で、図８に示す画面のまま所定時間操作されなかったときにはステップＳ１１〜Ｓ３５の切り替え再生処理を自動で行うようにすることもできる。
【００４４】
上記実施例では楽曲情報として、楽曲名、アルバム名、アーティスト名、ジャンル名を用いたが、ユーザが作成したプレイリストの名称や、楽曲データのデータ容量、演奏時間等を楽曲情報として使用しても良く、これらの各情報の組合せを、携帯楽曲データと車載楽曲データとを比較するための楽曲情報として用いることもできる。また、上記実施例では楽曲情報の比較順序を楽曲名、アルバム名、アーティスト名、ジャンル名の順に予め設定したが、必ずしもこの順序に限られず、ユーザが操作部８から比較順序を任意で設定することもできる。
【００４５】
また、ＣＤ読込部２より送信されたＴＯＣ情報に基づいて、予めＴＯＣ情報に対応させて楽曲情報が記憶されている楽曲情報データベース（図示しない）等から楽曲情報を取得して楽曲データ記憶部９に記憶しておき（図９）、携帯楽曲データ再生中に、携帯オーディオ装置Ｐ１のバッテリ残量が所定値以下になった時、制御部６は、再生中の携帯楽曲データの楽曲情報と楽曲データ記憶部９に記憶した楽曲情報とを比較する。そして、再生中の携帯楽曲データの楽曲情報と同一の楽曲情報が楽曲データ記憶部９に存在した場合、ＣＤドライブ１に装填されたＣＤから該楽曲情報に対応する楽曲データを読み出して再生することもできる。これにより、携帯楽曲データ再生中に、バッテリ残量が所定値以下になった時、携帯楽曲データからＣＤに記憶された楽曲データに切り替え再生することができる。
この実施例においても、携帯オーディオ装置Ｐ１のバッテリ残量が所定値以下になった時、上記実施例で説明したステップＳ１１〜Ｓ３５と同様の切り替え再生処理を行うことができる。
【００４６】
さらに、別の実施例として、携帯楽曲データ再生中に、携帯オーディオ装置Ｐ１のバッテリ残量が所定値以下になった時、制御部６は、チューナー１３に対して各チャンネルまたは各受信周波数で放送されている楽曲データの楽曲情報を入力するように指示する。この指示に基づいて、チューナー１３は受信可能なチャンネルまたは受信周波数をシークし、アンテナ１２から各チャンネルまたは受信周波数局の放送波が順次入力される。そして、チューナー１３は順次入力される放送波から楽曲情報を抽出し、この楽曲情報とチャンネルまたは受信周波数あるいは放送局名とを対応付けたデータを生成して制御部６に入力し、制御部６は該データを楽曲データ記憶部９に記憶する（図１０）。その後、制御部６は、現在再生中の携帯楽曲データの楽曲情報と楽曲データ記憶部９に記憶された楽曲情報とを比較する。そして、再生中の携帯楽曲データの楽曲情報と同一の楽曲情報が楽曲データ記憶部９に存在した場合、該楽曲情報を有する楽曲データを放送しているチャンネルまたは受信周波数の放送波を受信して再生するようにすることもできる。これにより、携帯楽曲データ再生中に、バッテリ残量が所定値以下になった時、携帯楽曲データから、放送されている楽曲データに切り替え再生することができる。
この実施例においても、上記実施例と同様に、再生中の携帯楽曲データの楽曲情報と楽曲データ記憶部９に記憶された楽曲情報とを、楽曲名、アーティスト名、ジャンル名等の順に比較してそれぞれ同一か否かを判断することにより、出来るだけ再生中の携帯楽曲データと同一または類似する楽曲データを違和感無く継続して再生することができる。
【００４７】
その他、車載用オーディオ装置及び携帯オーディオ装置の構成や制御手順等について、特許請求の範囲に記載された本発明の要旨の範囲内において、種々の変形・変更が可能である。
【図面の簡単な説明】
【００４８】
【図１】本発明に係る車載用オーディオ装置の構成図である。
【図２】車載用オーディオ装置に記憶される楽曲情報と車載楽曲データの詳細を示す図である。
【図３】本発明に係る携帯オーディオ装置の構成図である。
【図４】携帯オーディオ装置に記憶される楽曲情報と携帯楽曲データの詳細を示す図である。
【図５】本発明に係る車載用オーディオ装置の再生処理のフローチャート（その１）である。
【図６】本発明に係る車載用オーディオ装置の再生処理のフローチャート（その２）である。
【図７】本発明に係る車載用オーディオ装置の再生処理のフローチャート（その３）である。
【図８】携帯楽曲データから車載楽曲データへ切り替え再生することを選択させる画面である。
【図９】楽曲データ記憶部に記憶されるＣＤに記憶された楽曲データに関する楽曲情報を示す図である。
【図１０】楽曲データ記憶部に記憶される放送されている楽曲データに関する楽曲情報を示す図である。
【符号の説明】
【００４９】
３…楽曲データ再生部
６…制御部
７…表示部
９…楽曲データ記憶部
１０…携帯情報記憶部
１３…チューナー
２１…バッテリ
２２…バッテリ残量監視部
２４…携帯制御部
２７…携帯楽曲データ記憶部
Ａ１…車載用オーディオ装置
Ｐ１…携帯オーディオ装置
【図１】
2008117469.tif 000003
【図２】
2008117469.tif 000004
【図３】
2008117469.tif 000005
【図４】
2008117469.tif 000006
【図５】
2008117469.tif 000007
【図６】
2008117469.tif 000008
【図７】
2008117469.tif 000009
【図８】
2008117469.tif 000010
【図９】
2008117469.tif 000011
【図１０】
2008117469.tif 000012